(57)【要約】      （修正有）【課題】折り曲げられて屏風の形態を採り得る一方で、不測の外力を受けた場合でも略フラットな基本形態が好適に維持され得るハガキを提供する。【解決手段】ハガキＡ（Ｓ）は、型押しにより形成され上下方向に直線状に延びてなる型押し折り線１１を有した折り曲げ誘導部Ｆを備え、折り曲げ誘導部は左右方向に所定の間隔を開けて複数配設されている。そして、型押し折り線の最上端ｓｊとハガキ本体１の上端縁ｅ１との間、及び、型押し折り線の最下端ｓｋとハガキ本体の下端縁ｅ２との間に、それぞれ型押しによる折り線が存在しない領域Ｒが設けられている。複数の型押し折り線は、上下方向に間欠的に設けられていてもよい。【選択図】図１
0003223360.tif 000002
【実用新案登録請求の範囲】
【請求項１】
折り曲げられて屏風の形態を採り得るように構成されたハガキであって、
左右方向に長手をなす略矩形板状のハガキ本体を有したものであり、
前記ハガキ本体が、型押しにより形成され上下方向に直線状に延びてなる型押し折り線を有した折り曲げ誘導部を備えたものであり、当該折り曲げ誘導部が左右方向に所定の間隔を開けて複数配設されたものであり、
前記折り曲げ誘導部を構成する前記型押し折り線の最上端と前記ハガキ本体の上端縁との間、及び、前記折り曲げ誘導部を構成する前記型押し折り線の最下端と前記ハガキ本体の下端縁との間に、それぞれ型押しによる折り線が存在しない領域が設けられているハガキ。
【請求項２】
複数の前記折り曲げ誘導部が、前記ハガキ本体に略同じ間隔で配設されたものである請求項１記載のハガキ。
【請求項３】
前記折り曲げ誘導部が、複数の前記型押し折り線を上下方向に間欠的に配設してなるものである請求項１又は２記載のハガキ。
【考案の詳細な説明】
【技術分野】
【０００１】
本考案は、折り曲げられて屏風の形態を採り得るように構成されたハガキに関するものである。
【背景技術】
【０００２】
従来から、自立可能な形態を採り得るように構成された種々のハガキが知られている（例えば特許文献１参照）。
【０００３】
ところで、自立可能なハガキには、例えば、図４に示すようなものが既知である。このものは、屏風の形態を採り得るハガキＸＡである（以下、「従来の屏風ハガキＸＡ」という。）。
【０００４】
すなわち、従来の屏風ハガキＸＡは、左右方向に長手をなす矩形板状のハガキ本体Ｘ１を有しており、当該ハガキ本体Ｘ１に左右方向に所定の間隔をあけて上下方向に直線状に延びてなる複数の折り線Ｙが設けられている。複数の折り線Ｙは、型押しにより形成されている。そして、従来の屏風ハガキＸＡは、略フラットな姿勢で郵便物として機能した後に、差し出された相手方等により型押しにより設けられた複数の折り線Ｙにしたがって蛇腹状に折り曲げられ、最終的に、屏風の形態をなして載置面に対して自立し得る形態を採ることができるようになっている。
【０００５】
ところが、従来の屏風ハガキＸＡは、上下方向に延びる複数の折り線Ｙの最上端Ｙｓｊ及び最下端Ｙｓｋが、ハガキ本体Ｘ１の上端縁Ｘｅ１及び下端縁Ｘｅ２にまで至るように形成されていたため、次のような不具合が生じやすいものとなっていた。
【０００６】
基本的に、あらゆる屏風ハガキは、製造された後に販売店等に搬送及び陳列され、その後、購入者等により郵便物として相手方に差し出され、しかる後に、郵便物を受け取った相手方の手により屏風の形態に変形させられることが通常である。換言すれば、あらゆる屏風ハガキは、郵便物が相手方に届くまでは、略フラットな基本形態が維持されていることが望ましい。
【０００７】
ところが、従来の屏風ハガキＸＡは、搬送及び陳列される過程や購入者等により取り扱われる過程や郵便物として搬送されている過程において、不測の外力を受けてしまった場合に一部の折り線Ｙが簡単に折れ曲がってしまうものとなっていた。しかも、一度、何れかの折り線Ｙが折り曲がってしまうと、その後は当該折り曲がってしまった折り線Ｙに対して応力が集中してしまい、その折り線Ｙの隣接部分の変形が著しく進行してしまうものとなっていた。
【０００８】
略フラットな基本形態を維持すべき段階であるにも関わらず部分的に折り曲がってしまったハガキは外観を損ねるのみならず商品価値も損ねてしまうものとなる。
【先行技術文献】
【特許文献】
【０００９】
【特許文献１】実用新案登録第３２０９３３４号公報
【考案の概要】
【考案が解決しようとする課題】
【００１０】
本考案は、このような課題に着目してなされたものであって、折り曲げられて屏風の形態を採り得る一方で、不測の外力を受けた場合でも略フラットな基本形態が好適に維持され得るハガキを提供することにある。
【課題を解決するための手段】
【００１１】
すなわち、本考案は次の構成をなしている。
【００１２】
請求項１に係る考案は、折り曲げられて屏風の形態を採り得るように構成されたハガキであって、左右方向に長手をなす略矩形板状のハガキ本体を有したものであり、前記ハガキ本体が、型押しにより形成され上下方向に直線状に延びてなる型押し折り線を有した折り曲げ誘導部を備えたものであり、当該折り曲げ誘導部が左右方向に所定の間隔を開けて複数配設されたものであり、前記折り曲げ誘導部を構成する前記型押し折り線の最上端と前記ハガキ本体の上端縁との間、及び、前記折り曲げ誘導部を構成する前記型押し折り線の最下端と前記ハガキ本体の下端縁との間に、それぞれ型押しによる折り線が存在しない領域が設けられているハガキである。
【００１３】
このようなものであれば、折り曲げ誘導部を構成する型押し折り線の最上端とハガキ本体の上端縁との間、及び、折り曲げ誘導部を構成する型押し折り線の最下端とハガキ本体の下端縁との間に、それぞれ型押しによる折り線が存在しない領域が設けられているため、不測の外力を受けてしまった場合であっても一部の折り曲げ誘導部のみが簡単に折り曲がるような現象が好適に抑制されるものとなっている。すなわち、ハガキ本体の上端縁近傍及び下端縁近傍にそれぞれ型押しによる折り線が存在しない領域があるため、その領域がハガキ本体の基本形態である略フラットな形態を維持し得る一定の強度を確保し得るものとなっている。
【００１４】
請求項２に係る考案は、複数の前記折り曲げ誘導部が、前記ハガキ本体に略同じ間隔で配設されたものである請求項１記載のハガキである。
【００１５】
このようなものであれば、複数の折り曲げ誘導部を折り曲げることにより、バランスに優れた好適な屏風の形態を採り得るものとなる。
【００１６】
請求項３に係る考案は、前記折り曲げ誘導部が、複数の前記型押し折り線を上下方向に間欠的に配設してなるものである請求項１又は２記載のハガキである。
【００１７】
このようなものであれば、折り曲げ誘導部を構成する隣り合う型押し折り線の間にも型押しによる折り線が存在しない領域ができることになり、ハガキ本体の基本形態である略フラットな形態を維持し得る一定の強度を確保し得るものとなっている。
【考案の効果】
【００１８】
以上説明したように本考案によれば、折り曲げられて屏風の形態を採り得る一方で、不測の外力を受けた場合でも略フラットな基本形態が好適に維持され得るハガキを提供することができるものなる。
【図面の簡単な説明】
【００１９】
【図１】本考案の一実施形態を示す正面図。
【図２】本実施形態における背面側から見た斜視図。
【図３】他の実施形態を示す正面図。
【図４】従来例を説明するための正面図。
【考案を実施するための形態】
【００２０】
以下、本考案の一実施形態を、図１〜２を参照して説明する。
【００２１】
この実施形態は、郵便物としての略フラットな基本形態（Ｓ）を採り得るとともに、使用者が折り曲げ誘導部Ｆを基準にして折り曲げた場合には天板等の載置面に対して自立可能な屏風の形態（Ｂ）を採り得るように構成されたハガキＡに適用したものである。
【００２２】
以下、このハガキＡについて詳述する。
【００２３】
ハガキＡは、左右方向に長手をなす略矩形板状のハガキ本体１を有したものである。ハガキ本体１は紙製のものである。ハガキ本体１における表面の右上には、屏風の形態（Ｂ）に折り曲げ可能であることを示唆し得る示唆表示Ｈが設けられている。この実施形態では、ハガキ本体１における裏面には、絵柄Ｐが表示されている。
【００２４】
ハガキ本体１は、型押しにより形成され上下方向に直線状に延びてなる複数の型押し折り線１１を有した折り曲げ誘導部Ｆを備えている。
【００２５】
折り曲げ誘導部Ｆは、使用者に対して上下方向に延びる折り曲げ部分を誘導するものである。この実施形態では、折り曲げ誘導部Ｆは、複数すなわち五本の型押し折り線１１を共通の仮想直線上に位置させて上下方向に間欠的に配設してなるものである。上下方向に隣り合う型押し折り線１１の間には、型押しによる折り線が存在しない領域Ｔが設けられている。
【００２６】
なお、「型押し」とは、ハガキ本体１の厚み方向に型を強圧させることによりハガキ本体１に凹凸形状を形成することを指し、この実施形態ではトムソン加工（打ち抜き加工）に合わせて行われている。
【００２７】
折り曲げ誘導部Ｆは、左右方向に所定の間隔をあけて複数すなわち五か所に配設されている。五つの折り曲げ誘導部Ｆは、ハガキ本体１に対して左右方向に略同じ間隔をあけて配設されている。
【００２８】
そして、この実施形態では、折り曲げ誘導部Ｆを構成する型押し折り線１１の最上端ｓｊとハガキ本体１の上端縁ｅ１との間に型押しによる折り線が存在しない領域Ｒが設けられているとともに、折り曲げ誘導部Ｆを構成する型押し折り線１１の最下端ｓｋとハガキ本体１の下端縁ｅ２との間に型押しによる折り線が存在しない領域Ｒが設けられている。型押しによる折り線が存在しない領域Ｒは、基本形態（Ｓ）をなすハガキ本体１が不測の外力を受けた場合であっても、折り曲げ誘導部Ｆが折れ曲がり難くなり得る一定の強度を発揮し得るものとなっている。
【００２９】
以上に詳述したように本実施形態に係るハガキＡは、ハガキ本体１において上下方向に延びる折り曲げ部分を示唆する折り曲げ誘導部Ｆを有しており、その折り曲げ誘導部Ｆを構成する型押し折り線１１の最上端ｓｊ（五本の型押し折り線１１の内、最も上に位置する型押し折り線１１の上端を指す。）とハガキ本体１の上端縁ｅ１との間、及び、折り曲げ誘導部Ｆを構成する型押し折り線１１の最下端ｓｋ（五本の型押し折り線１１の内、最も下に位置する型押し折り線１１の下端を指す。）とハガキ本体１の下端縁ｅ２との間に、それぞれ型押しによる折り線が存在しない領域Ｒが設けられている。
【００３０】
このため、ハガキＡは、郵便物として機能させたい段階（すなわち、略フラットな基本形態（Ｓ）を保持させておきたい段階）において、不測の外力を受けてしまった場合であっても、折り曲げ誘導部Ｆが折れ曲がり難いものとなっている。すなわち、ハガキ本体１の上端縁ｅ１近傍及び下端縁ｅ２近傍にそれぞれ型押しによる折り線が存在しない領域Ｒが設けられているため、その領域Ｒがハガキ本体１の基本形態（Ｓ）である略フラットな形態を維持し得る一定の強度を発揮し得るものとなっている。
【００３１】
なお、本考案は、以上に詳述した実施形態に限られるものではない。
【００３２】
例えば、図３に示すように、折り曲げ誘導部Ｆは、単一の型押し折り線１１により構成されたものであってもよい。
【００３３】
折り曲げ誘導部は、種々の態様を採り得るものであり、上述した実施形態に示したものに限られるものではない。
【００３４】
折り曲げ誘導部を、複数の型押し折り線により構成する場合には、その本数や隣接する型押し折り線間の幅等は適宜設定し得るものである。
【００３５】
ハガキ本体は、その材質や大きさを適宜のものに設定できるのはもちろんのことである。
【００３６】
型押しによる折り線が存在しない領域には、折り曲がり易さを惹起し得る物理的な変形が付与されなければよく、例えば、印刷によって折り曲げ部分を示唆し得る表示を設けても構わない。
【００３７】
その他、各部の具体的構成についても上記実施形態に限られるものではなく、本考案の趣旨を逸脱しない範囲で種々変形が可能である。
【符号の説明】
【００３８】
Ａ…ハガキ
１…ハガキ本体
Ｆ…折り曲げ誘導部
１１…型押し折り線
Ｒ…型押しによる折り線が存在しない領域
（Ｓ）…基本形態
（Ｂ）…屏風の形態
【図１】
0003223360.tif 000003
【図２】
0003223360.tif 000004
【図３】
0003223360.tif 000005
【図４】
0003223360.tif 000006